(57)【要約】      （修正有）【課題】据付作業や取外し作業にドライバーを使用する必要がなくなり据付作業が極めて簡単になり据付作業に要する時間も少なく出来る空気調和機の窓据付装置の提供。【解決手段】空気調和機を据付ける種々の窓サッシ３の上下高さに応じて縦方向の寸法を本体枠１１からスライド枠１２を引き伸ばす事で調節する据付枠１０に於いて、前記本体枠１１の縦桟１１ｂに穴１１ｃを設けると共にこの穴１１ｃに対向するスライド枠１２に溝１２ｃを設け、この溝１２ｃ及び穴１１ｃより小さく該溝及び穴を貫通したボルトネジ部から成る係止ボルト１３を備え、更にこのボルトに螺合するナット１４を設け、前記係止ボルト１３とナット１４にて本体枠１１とスライド枠１２を締め付ける事で本体枠とスライド枠の摺動を阻止する。【選択図】図１
2005283118.tif 000002
【特許請求の範囲】
【請求項１】
空気調和機を据付ける種々の窓サッシの上下高さに応じて縦方向の寸法を本体枠からスライド枠を引き伸ばす事で調節する据付枠に於いて、前記本体枠の縦桟に穴を設けると共にこの穴に対向するスライド枠に溝を設け、この溝及び穴より小さく該穴を貫通したボルトネジ部から成る係止ボルトを備え、更にこのボルトに螺合するナットを設け、前記係止ボルトとナットにて本体枠とスライド枠を締め付ける事で本体枠とスライド枠の摺動を阻止する事を特徴とする空気調和機の窓据付装置。
【請求項２】
空気調和機を据付ける種々の窓サッシの上下高さに応じて縦方向の寸法を本体枠からスライド枠を引き伸ばす事で調節する据付枠に於いて、前記本体枠の縦桟に穴を設けると共にこの穴に対向するスライド枠に溝を設け、この溝及び穴より小さく該穴を貫通したボルトネジ部から成る係止ボルトを備え、更にこのボルトに螺合するナットを設け、前記係止ボルトとナットにて本体枠とスライド枠の溝端部を締め付ける事で本体枠とスライド枠の摺動を阻止する事を特徴とする空気調和機の窓据付装置。
【請求項３】
空気調和機を据付ける種々の窓サッシの上下高さに応じて縦方向の寸法を本体枠からスライド枠を引き伸ばす事で調節する据付枠に於いて、前記本体枠の縦桟に穴を設けると共にこの穴に対向するスライド枠に、端部を断面コの字型に形成した溝端部を設け、この穴より小さく該穴を貫通したボルトネジ部から成る係止ボルトを備え、更にこのボルトに螺合するナットを設け、前記係止ボルトとナットにて本体枠と溝端部を締め付ける事で本体枠とスライド枠の摺動を阻止する事を特徴とする空気調和機の窓据付装置。
【請求項４】
前記前記ボルトネジ部の長さ寸法Ａは溝の奥行き寸法Ｂよりも大きい事を特徴とする請求項１〜３記載の空気調和機の窓据付装置。
【発明の詳細な説明】
【技術分野】
【０００１】
この発明は窓取付型の一体式空気調和機の取付装置に関するものである。
【背景技術】
【０００２】
従来よりこの種の空気調和機は図６に示すように、外壁ａの木製窓縁部ｂの内側に金属製の窓サッシｃが取り付けられている。そしてこの窓サッシｃに空気調和機を据え付けるため据付枠ｄを使用している。この据付枠ｄは窓の高さに応じて上下寸法が調節できるように空気調和機を取り付ける本体枠ｅとこの本体枠ｅに摺動可能に結合したスライド枠ｆで構成され、窓の高さに合わせてスライド枠ｆを引き伸ばしながらドライバーを使用してネジｇにて本体枠ｅとスライド枠ｆをネジ止めした後、前記窓サッシｃの縁ｈを前記据付枠ｄの上面と下面に設けたフランジ部で挟みネジｉにて固定していた。
【発明の開示】
【発明が解決しようとする課題】
【０００３】
しかしながら、この据付枠を建物の鴨居又は木製窓縁部ｂや敷居又は木製窓縁部ｂへ取付る作業は難しく、特に窓の高さに合わせてスライド枠ｆを引き伸ばしながらネジｇにて本体枠ｅとスライド枠ｆを固定する作業を一人で行った場合には本体枠ｅとスライド枠ｆを押さえながら片手でドライバーを使用してネジ止めをしなければならず難しい作業であり、据付作業に時間がかかる問題が有った。
【課題を解決するための手段】
【０００４】
この発明はこの点に着目し上記欠点を解決する為、空気調和機を据付ける種々の窓サッシの上下高さに応じて縦方向の寸法を本体枠からスライド枠を引き伸ばす事で調節する据付枠に於いて、前記本体枠の縦桟に穴を設けると共にこの穴に対向するスライド枠に溝を設け、この溝及び穴より小さく該溝及び穴を貫通したボルトネジ部から成る係止ボルトを備え、更にこのボルトに螺合するナットを設け、前記係止ボルトとナットにて本体枠とスライド枠を締め付ける事で本体枠とスライド枠の摺動を阻止するようにしたものである。
【発明の効果】
【０００５】
この発明によれば、据付作業や取外し作業にドライバーを使用する必要がなくなり据付作業が極めて簡単になり据付作業に要する時間も少なくなるものである。
また係止ボルトのボルトネジ部の長さ寸法は溝の奥行き寸法よりも大きいので据付作業時に誤ってナットが外れてしまっても係止ボルトが本体枠の内側へ落ちるような事がないものである。
【発明を実施するための最良の形態】
【０００６】
以下この発明の実施の形態を図面をもとに説明すれる。
【実施例１】
【０００７】
１は建物の外壁で開口の木製窓縁部２の内側に金属製の窓サッシ３が取り付けられている。
前記窓サッシ３の鴨居部４はガラス戸（図示せず）を導き雨水の侵入を抑える上レール５や端部６が垂下され、敷居部７は下レール８や端部９が立ち上げられている。
【０００８】
１０は窓取付用の一体型空気調和機（図示せず）を据付ける据付枠で、空気調和機を取付ける本体枠１１と窓の高さに応じてこの本体枠１１より摺動自在に結合したスライド枠１２で構成されている。
前記本体枠１１はアルミ押出し成形品で構成され、上下に２本の横桟１１ａと左右に２本の縦桟１１ｂによって縦長方形に組立られている。
【０００９】
前記スライド枠１２は上側に１本の横桟１２ａと左右に２本の縦桟１２ｂをコの字形に組立て、この縦桟１２ｂを前記本体枠１１の縦桟１１ｂ内に上方からスライドして収納させている。
前記本体枠１１の縦桟１１ｂ上部側面には穴１１ｃを設け、この穴１１ｃに対向するスライド枠１２の縦桟１２ｂに摺動方向に溝１２ｃを形成している。
【００１０】
１３は係止ボルトで扁平縦長のボルト頭部１３ａが前記スライド枠１２の溝１２ｃ内側を摺動し、ボルトネジ部１３ｂが前記本体枠１１の穴１１ｃを貫通するもので、このボルトネジ部１３ｂにナット１４を螺合し締め込むことでボルト頭部１３ａとナット１４の間に溝１２ｃ左右のスライド枠縦桟１２ｂと本体枠縦桟１１ｂを密着させ本体枠１１とスライド枠１２の縦方向の摺動を阻止するものであり、左右の対照位置にそれぞれ１セットづつ設けられている。
【００１１】
また前記ボルト頭部１３ａとスライド枠１２との接触面には突起１３ｃを設けることでナット１４締め込み時にスライド枠１２内面に食い込んでより縦方向の摺動を阻止する力を高めるものであり、前記ナット１４の側面を大きくローレット状にしてドライバーを使用せずとも素手でナット締めができるものである。もちろんナット１４を蝶ナットやその他プラスチック成形等によって素手でもナット締めが行いやすい形状に設けても良い。また前記ボルトネジ部１３ｂの長さ寸法Ａは溝１２ｃの奥行き寸法Ｂよりも大きいので据付作業時に誤ってナット１４が外れてしまっても係止ボルト１３が本体枠１１の内側へ落ちるような事がないものである。
【００１２】
前記スライド枠１２の横桟１２ａの上面１５には後部フランジ１６を立ち上げ、この後部フランジ１６よりも前方にネジ止め用フランジ１７を備え、このフランジ１７にネジ穴１８を形成し、前記後部フランジ１６とネジ止め用フランジ１７の間に窓サッシ３の端部６を位置させ、前記ネジ穴１８に化粧ネジ１９をネジ込んで化粧ネジ１９先端と後部フランジ１６で端部６を挟んで固定するものである。
【００１３】
またネジ止め用フランジ１７の更に前方には前部フランジ２０を備えている。この前部フランジ２０には前記ネジ穴１８に対向してこのネジ穴１８よりも大きい径の穴２１を設け、据付け作業時にネジ穴１８の位置を作業者にわかりやすく、またネジ穴１８に対して真っ直ぐにネジ止めができるようにするもので、前部フランジ２０の位置と化粧ネジ１９の長さを調節すれば、化粧ネジ１９の締め込み過ぎによる、アルミニューム製等の窓サッシ端部６や後部フランジ１６の変形を防止する事ができるものである。
【００１４】
また前記本体枠１１の横桟１１ａの下面２２にも前記上面１５とは上下反対方向ではあるが同様の後部フランジ２３・ネジ止め用フランジ２４・前部フランジ２５・化粧ネジ２６を設け、前記後部フランジ２３と化粧ネジ２６で端部９を挟んで固定している。
２７は蛇腹板で前記スライド枠１２の伸縮にともなって伸縮し空気調和機上方の据付枠１０に開口ができることを防止するものである。
【００１５】
２８は据付枠１０と引き戸（図示せず）との間の隙間を塞ぐゴム板状の閉塞部材で、前記据付枠１０縦桟１１ｂ・１２ｂの後方に取り付けられるものであり、２９は本体枠１１の側面に取り付けられた窓ストッパで、空気調和機運転時に誤って引き戸を閉じてしまうことを防止するものである。
【００１６】
据付作業について説明すれば、本体枠１１の下面２２の後部フランジ２３を敷居部７の端部９の室外側側面に合わせ、スライド枠１２を本体枠１１から引き出して上方に徐々にスライドさせスライド枠１２上面１５に備えた後部フランジ１６を鴨居部４の端部６の室外側側面に合わせながら押し上げれば、スライド枠１２は本体枠１１から好適な寸法で引き出され左右の縦桟１１ｂのナット１４を締めれば、係止ボルト１３の突起１３ｃがスライド枠１２の内面に食い込みスライド枠１２の高さ方向の動きを阻止するものである。
【００１７】
次に上下の横桟１１ａ・１２ａにそれぞれ備える化粧ネジ１７・２６を締めれば、後部フランジ１６・２３と化粧ネジ１９・２６との間に窓サッシ３の端部６・９が固定される。そして据付枠１０に空気調和機を固定すれば据付が終了する。
また据付枠１０を取り外すには、空気調和機を本体枠１０から取り外して上下の横桟１１ａ・１２ａにそれぞれ備える化粧ネジ１７・２６を緩め、左右のナット１４を緩めれば簡単に据付枠１０を窓サッシ３から外す事ができるものである。
【００１８】
このように据付作業や取外し作業にドライバーを使用する必要がなくなり据付作業が極めて簡単になり据付作業に要する時間も少なくなるものである。
また係止ボルト１３とスライド枠１２の溝との当接面に突起１３ｃを形成したので据付枠１０の固定がより強固となり、窓サッシ３に緩みなく確実に固定する事ができる。
また係止ボルト１３のボルトネジ部１３ｂの長さ寸法Ａは溝１２ｃの奥行き寸法Ｂよりも大きいので据付作業時に誤ってナット１４が外れてしまっても係止ボルト１３が本体枠１１の内側へ落ちるような事がないものである。
【図面の簡単な説明】
【００１９】
【図１】この発明一実施例の斜視図。
【図２】同要部側面の拡大断面図。
【図３】同要部平面の拡大断面図。
【図４】同要部の拡大斜視図。
【図５】同要部の拡大斜視図。
【図６】従来例の斜視図。
【符号の説明】
【００２０】
３  窓サッシ
１０  据付枠
１１  本体枠
１１ｃ  穴
１２  スライド枠
１２ｃ  溝
１３  係止ボルト
１３ｃ  突起
１４  ナット
【図１】
2005283118.tif 000003
【図２】
2005283118.tif 000004
【図３】
2005283118.tif 000005
【図４】
2005283118.tif 000006
【図５】
2005283118.tif 000007
【図６】
2005283118.tif 000008